(57)【要約】【課題】  拍動のゆらぎをリアルタイムに表示するとともに、被測定者の自律神経の緊張を緩和させ、被測定者を交感神経と副交感神経とのバランスがとれた状態に導くことが可能な拍動ゆらぎ測定装置を提供する。【解決手段】  被測定者に対して呼吸のリズムを表示する表示部３１０と、前記被測定者の生体信号を検出し、拍動間隔を抽出する抽出部と、前記抽出部により抽出された拍動間隔に基づいて、拍動のゆらぎを求めるための時間領域解析により得られた解析結果を表示する表示部３０１と、前記解析結果を記録する記録部とを備え、少なくとも、前記抽出部は、表示部３１０により前記呼吸リズムが表示されるのと並行して前記被測定者の生体信号を検出し、前記拍動間隔を抽出可能であることを特徴とする。【選択図】  図６Ｂ
2008279127.tif 000002
【特許請求の範囲】
【請求項１】
被測定者に対して呼吸のリズムを表示する第１の表示手段と、
前記被測定者の生体信号を検出し、拍動間隔を抽出する抽出手段と、
前記抽出手段により抽出された拍動間隔に基づいて、拍動のゆらぎを求めるための時間領域解析により得られた解析結果を表示する第２の表示手段と、
前記解析結果を記録する記録手段と、を備え、
少なくとも、前記抽出手段は、前記第１の表示手段により前記呼吸リズムが表示されるのと並行して前記被測定者の生体信号を検出し、前記拍動間隔を抽出可能であることを特徴とする拍動ゆらぎ測定装置。
【請求項２】
被測定者に対して呼吸のリズムを表示する第１の表示手段と、
前記被測定者の生体信号を検出し、拍動間隔を抽出する抽出手段と、
前記抽出されたｎ拍目の拍動間隔とｎ＋１拍目の拍動間隔とを、２次元グラフ領域の縦軸または横軸として順次プロットする場合の各座標データを算出する座標算出手段と、
所定時間内に算出された前記座標データのばらつきを算出するばらつき算出手段と、
前記所定時間内に算出された前記座標データを前記２次元グラフ領域にプロットするとともに、該座標データのばらつきを表示する第２の表示手段と、
前記算出されたばらつきを記録する記録手段と、を備え、
少なくとも、前記抽出手段は、前記第１の表示手段により前記呼吸リズムが表示されるのと並行して前記被測定者の生体信号を検出し、前記拍動間隔を抽出可能であることを特徴とする拍動ゆらぎ測定装置。
【請求項３】
複数の呼吸のリズムの中から、１の呼吸のリズムを選択する選択手段を更に備え、
前記第１の表示手段は、前記選択手段により選択された呼吸のリズムを、前記被測定者に対して表示することを特徴とする請求項２に記載の拍動ゆらぎ測定装置。
【請求項４】
前記記録手段は、
前記選択手段により選択された呼吸のリズムを示す情報を、前記算出されたばらつきと対応付けて記録することを特徴とする請求項３に記載の拍動ゆらぎ測定装置。
【請求項５】
前記選択手段は、
前記記録手段に記録されたばらつきを、前記呼吸のリズムを示す情報ごとに分類した場合の、各分類に属するばらつきの平均値が最も大きくなる呼吸のリズムを選択することを特徴とする請求項４に記載の拍動ゆらぎ測定装置。
【請求項６】
前記第２の表示手段は、
前記第１の表示手段により前記呼吸のリズムが表示されるのと並行して前記被測定者の生体信号を検出し、拍動間隔を抽出した場合に算出された前記座標データと、前記第１の表示手段により前記呼吸のリズムが表示されていない状態で前記被測定者の拍動を検出し、拍動間隔を抽出した場合に算出された前記座標データとを、前記２次元グラフ領域において、互いに区別しながら重ねてプロットすることを特徴とする請求項２に記載の拍動ゆらぎ測定装置。
【請求項７】
前記第１の表示手段により前記呼吸のリズムが表示されるのと並行して前記被測定者の生体信号を検出し、拍動間隔を抽出した場合に算出された前記座標データのばらつきと、前記第１の表示手段により前記呼吸のリズムが表示されていない状態で前記被測定者の拍動を検出し、拍動間隔を抽出した場合に算出された前記座標データのばらつきとの差異を算出する差異算出手段を更に備えることを特徴とする請求項２に記載の拍動ゆらぎ測定装置。
【請求項８】
被測定者に対して呼吸のリズムを表示する第１の表示工程と、
前記被測定者の生体信号を検出し、拍動間隔を抽出する抽出工程と、
前記抽出工程において抽出された拍動間隔に基づいて、拍動のゆらぎを求めるための時間領域解析により得られた解析結果を表示する第２の表示工程と、
前記解析結果を記録する記録工程と、を備え、
少なくとも、前記抽出工程は、前記第１の表示工程において前記呼吸リズムが表示されるのと並行して前記被測定者の生体信号を検出し、前記拍動間隔を抽出可能であることを特徴とする拍動ゆらぎ測定装置における情報処理方法。
【請求項９】
被測定者に対して呼吸のリズムを表示する第１の表示工程と、
前記被測定者の生体信号を検出し、拍動間隔を抽出する抽出工程と、
前記抽出されたｎ拍目の拍動間隔とｎ＋１拍目の拍動間隔とを、２次元グラフ領域の縦軸または横軸として順次プロットする場合の各座標データを算出する座標算出工程と、
所定時間内に算出された前記座標データのばらつきを算出するばらつき算出工程と、
前記所定時間内に算出された前記座標データを前記２次元グラフ領域にプロットするとともに、該座標データのばらつきを表示する第２の表示工程と、
前記算出されたばらつきを記録する記録工程と、を備え、
少なくとも、前記抽出工程は、前記第１の表示工程において前記呼吸リズムが表示されるのと並行して前記被測定者の生体信号を検出し、前記拍動間隔を抽出可能であることを特徴とする拍動ゆらぎ測定装置における情報処理方法。
【請求項１０】
請求項８または９に記載の情報処理方法をコンピュータによって実現させるための制御プログラム。
【発明の詳細な説明】
【技術分野】
【０００１】
本発明は、心電波形や心拍等の生体信号に基づいて拍動のゆらぎを可視化する技術に関するものである。
【背景技術】
【０００２】
従来より、交感神経と副交感神経の亢進状態の評価方法として、ローレンツプロットが知られている。一般に交感神経と副交感神経とはバランスがとれていることが重要であり、自律神経が緊張し、交感神経と副交感神経とのバランスが乱れると、拍動のゆらぎに影響を及ぼす。
【０００３】
ローレンツプロットとは、この拍動のゆらぎを、心電波形や心拍等の生体信号に基づいて可視化したものであり、広く知られている。
【０００４】
図１２、図１３は、心電波形に基づいてローレンツプロットを生成する方法を示した図である。図１２の１２０１に示すような心電波形が収集されると、まず、Ｒ波の位置が同定され、Ｒ−Ｒ間隔が算出される。Ｒ波とは心電波形のピーク部分をいい、Ｒ−Ｒ間隔とはＲ波のｎ拍目（ｎは任意の整数）とｎ＋１拍目の拍動間隔をいう。図１２の例では、Ｒ波の位置はそれぞれ、Ｒ１、Ｒ２、Ｒ３、Ｒ４と同定され、Ｒ−Ｒ間隔はそれぞれＴ２１、Ｔ３２、Ｔ４３と算出される。
【０００５】
そして、当該算出されたＲ−Ｒ間隔に基づいて、図１３に示す２次元グラフ領域に、Ｔ２１を横軸に、Ｔ３２を縦軸にプロットする。次に、Ｔ３２を横軸に、Ｔ４３を縦軸にプロットする。このような処理を、連続するＲ−Ｒ間隔に対して順次行うことで、ローレンツプロットが生成される。図１４は、生成されたローレンツプロットの一例を示す図であり、（ａ）は一般にバランスがとれた良好な状態を示しており、（ｂ）、（ｃ）はバランスがとれていない状態を示している（（ｂ）はストレス・疾患パターンを、（ｃ）は不整脈パターンをそれぞれ示している）。
【０００６】
このような方法により生成されるローレンツプロットを応用した技術として、本願出願人は、これまでいくつかの提案を行っている。例えば、下記特許文献１、２では、当該ローレンツプロットを心電波形の測定と並行してリアルタイムに表示させることで、被測定者がその場で拍動のゆらぎを把握できるリアルタイム拍動モニタを提案している。
【特許文献１】特開２００１−２１２０９５号公報
【特許文献２】特開２００１−２１２０８９号公報
【発明の開示】
【発明が解決しようとする課題】
【０００７】
しかしながら、拍動のゆらぎを被測定者に表示し、拍動のゆらぎが良好でない状態（つまり、自律神経が緊張し、交感神経と副交感神経とのバランスが乱れている）と判断された場合でも、被測定者にとっては、その状態をどのようにして改善したらよいのかわからない場合が多い。
【０００８】
本発明は、上記課題に鑑みてなされたものであり、拍動のゆらぎをリアルタイムに表示するとともに、被測定者の自律神経の緊張を緩和させ、被測定者を交感神経と副交感神経とのバランスがとれた状態に導くことが可能な拍動ゆらぎ測定装置を提供することを目的とする。
【課題を解決するための手段】
【０００９】
上記の目的を達成するために本発明に係る拍動ゆらぎ測定装置は以下のような構成を備える。即ち、
被測定者に対して呼吸のリズムを表示する第１の表示手段と、
前記被測定者の生体信号を検出し、拍動間隔を抽出する抽出手段と、
前記抽出手段により抽出された拍動間隔に基づいて、拍動のゆらぎを求めるための時間領域解析により得られた解析結果を表示する第２の表示手段と、
前記解析結果を記録する記録手段と、を備え、
少なくとも、前記抽出手段は、前記第１の表示手段により前記呼吸リズムが表示されるのと並行して前記被測定者の生体信号を検出し、前記拍動間隔を抽出可能であることを特徴とする。
【発明の効果】
【００１０】
拍動のゆらぎをリアルタイムに表示するとともに、被測定者の自律神経の緊張を緩和させ、被測定者を交感神経と副交感神経とのバランスがとれた状態に導くことが可能となる。
【発明を実施するための最良の形態】
【００１１】
以下、必要に応じて添付図面を参照しながら本発明の各実施形態を詳細に説明する。なお、以下の各実施形態における拍動ゆらぎ測定装置は、被測定者の自律神経の緊張を緩和させ、被測定者を交感神経と副交感神経とのバランスがとれた状態に導くために、最適な呼吸法に基づく呼吸リズムを表示することを特徴とする。これは、最近の研究により、最適な呼吸法が、自律神経の緊張緩和に効果があることがわかってきたためである。
【００１２】
更に、以下の各実施形態における拍動ゆらぎ測定装置は、最適な呼吸法に基づく呼吸リズムの表示と並行して、呼吸中の被測定者の拍動のゆらぎの状態を表示することを特徴とする。これにより、被測定者は、最適な呼吸法による自律神経の緊張緩和の効果をリアルタイムで確認することができるからである。
【００１３】
つまり、以下の各実施形態における拍動ゆらぎ測定装置によれば、最適な呼吸法による自律神経の緊張緩和の効果が可視化されるため、被測定者はこれを確認しながら呼吸を行うことが可能となる。この結果、当該被測定者を、交感神経と副交感神経とのバランスがとれた状態へと導くことが可能となる。
【００１４】
なお、以下の各実施形態で説明する拍動ゆらぎ測定装置は、時間領域解析の幾何学的図形解析法の１つであるローレンツプロットを表示する装置として説明するが、本発明は以下に記載の実施形態に限定されるものではない。例えば、他の拍動変動指標として、時間領域解析の幾何学的図形解析法の１つであるトライアングルインデックスや、時間／領域解析であるＳＤＮＮ、ＳＤＡＮＮ、ｒ−ＭＳＳＤ、ＲＲ５０（ＮＮ５０）、ｐＮＮ５０（φ0ＮＮ５０）、ＣＶＲＲ等を表示する装置であってもよい。
【００１５】
［第１の実施形態］
１．装置の外観構成
図１は、本発明の第１の実施形態にかかる拍動ゆらぎ測定装置１００の外観構成を示す図である。同図において、１０１はハウジングであり、内部の電子機器を覆うとともに、装置の外形を形成する。ハウジング１０１の両側面には、被測定者の指（例えば、人指し指）を挿入するための開口部１０２が設けられている（図１では、一方の側面に設けられた開口部のみが図示され、他方の側面に設けられた開口部については省略されている）。
【００１６】
開口部１０２の内部には電極が埋め込まれており、被測定者が右手及び左手の指をそれぞれの開口部１０２に挿入することで、被測定者の心電波形を検出することができる構成となっている。
【００１７】
１０３は表示／操作部であり、検出された心電波形に基づいて時間領域解析法の幾何学的図形解析法の１つとして得られるローレンツプロットを表示すると共に、被測定者による各種操作を受け付ける。
【００１８】
２．装置の機能構成
図２は、本発明の第１の実施形態にかかる拍動ゆらぎ測定装置の機能構成を示す図である。同図において、２０１はクロック部であり、クロック信号を発振し、ＣＰＵ２０２に供給する。２０２はＣＰＵであり、クロック部２０１より発振されたクロック信号に基づいて動作する。２０３はＲＡＭであり、ＣＰＵ２０２において処理されるプログラムのワークエリアとして機能するとともに、プログラム処理時にデータ等を一時的に記憶する記憶手段としても機能する。２０４はＲＯＭであり、ＣＰＵ２０２にて処理されるプログラムが格納されている。
【００１９】
２０５は表示／操作部であり、ＣＰＵ２０２において処理された処理結果を表示するとともに、被測定者からの指示入力を受け付ける。２０６は電極であり、被測定者の心電波形を検出し、電気信号を出力する。２０７はアンプであり、電極２０６より出力された電気信号を増幅するとともに、デジタル信号（以下、拍動測定データ）に変換する。
【００２０】
２０８はデータ記録部であり、ＣＰＵ２０２において拍動測定データを処理することにより得られた算出データ等を記録する。
【００２１】
ＲＯＭ２０４に格納されたプログラムにより実現される機能を２２１から２２８に示す。２２１は拍動検出処理部であり、アンプ２０７より出力された拍動測定データを受信する。２２２は拍動間隔検出処理部であり、受信した拍動測定データに基づいて、心電波形のＲ波を同定したのち、各Ｒ−Ｒ間隔を算出する。
【００２２】
２２３はローレンツプロット算出部であり、ローレンツプロットデータ（２次元グラフ領域にローレンツプロットを表示するための座標データ）を生成する。また、所定時間、例えば１分間あたりの心拍数を算出する。更に、測定が完了した際には、ゆらぎ度を算出する。なお、ゆらぎ度とは、２次元グラフ領域の分布領域の大きさ（本実施形態にかかる拍動ゆらぎ測定装置にあっては、ローレンツプロットデータのばらつき）のことをいうものとする。
【００２３】
２２４は呼吸リズム記憶部であり、被測定者に最適な呼吸法に基づく呼吸リズムのパターンが記憶されている。
【００２４】
２２５はデータ記録処理部であり、算出されたローレンツプロットデータ、ゆらぎ度等を、データ記録部２０８に記録する。
【００２５】
２２６は表示処理部であり、測定開始時においては、被測定者からの指示入力を受け付ける各種ボタンを表示／操作部２０５上に表示する。また、測定中は、ローレンツプロット算出部２２３において生成されたローレンツプロットデータに基づいて、表示／操作部２０５上にローレンツプロットを表示するとともに、心電波形のＲ波のタイミングに合わせて、文字、記号、シンボルマーク等で表示される心拍検出マーク（後述）を点滅させ、更に心拍数を表示する。また、測定完了時には、算出されたゆらぎ度を表示する。また、過去の測定履歴を読み出し、表示／操作部２０５上に表示する。更に、被測定者が、最適な呼吸法に基づく呼吸を実行するために、呼吸リズムを表示する。
【００２６】
２２７はユーザ入力処理部であり、表示／操作部２０５を介して入力された指示入力を受けつける。
【００２７】
３．拍動ゆらぎ測定装置における画面構成
図３は、表示／操作部２０５の画面例を示す図である（なお、画面は液晶画面のほか、視認性の高い有機ＥＬなどを用いても良い）。３０１はデータ表示部であり、表示処理部２２６が各種データを表示する。図３の例では、ローレンツプロットを表示するための画面が図示されており、横軸および縦軸の単位はｍｓｅｃである。３０８、３０９はそれぞれデータ表示部３０１をスクロールするためのスクロールバーである。３０７は、カーソル、スクロールバーを任意に移動させるための十字キーである。３１０は最適な呼吸法に基づく呼吸リズムを表示する呼吸リズム表示部である。
【００２８】
３０２は測定開始ボタンであり、被測定者が測定開始ボタン３０２を押下することにより、ゆらぎ度を算出するための処理（測定処理）を開始する。なお、以下では、測定開始ボタン３０２を押下することにより行われる測定処理を「測定開始処理」と称することとする。
【００２９】
３０３は呼吸開始ボタンであり、被測定者が呼吸開始ボタン３０３を押下することにより、呼吸リズム表示部３１０に、最適な呼吸法に基づく呼吸リズムが表示するための呼吸リズム表示処理を開始するとともに、測定処理を開始する。なお、以下では呼吸開始ボタン３０３を押下することにより行われる呼吸リズム表示処理と測定処理とをあわせて「呼吸開始処理」と称することとする。
【００３０】
３０４は履歴表示／終了ボタンである。履歴表示／終了ボタン３０４が１回押下されると、データ表示部３０１には、過去に測定されたゆらぎ度が、時刻情報等とともに表示される。また、履歴表示／終了ボタン３０４が再度押下されると、履歴表示が終了し、データ表示部３０１には、ローレンツプロットを表示するための画面が表示される。
【００３１】
３０５、３０６はそれぞれ縮小ボタンおよび拡大ボタンであり、データ表示部３０１上に表示されるローレンツプロットや履歴表示等を縮小または拡大する。
【００３２】
４．拍動ゆらぎ測定装置における処理の流れ（全体）
図４は、本発明の第１の実施形態にかかる拍動ゆらぎ測定装置における全体処理の流れを示すフローチャートである。ステップＳ４０１において装置の電源が投入されると、ステップＳ４０２では、表示／操作部２０５に初期画面（例えば、図３に示す画面）が表示される。
【００３３】
ステップＳ４０３では、被測定者によりどのような操作が行われたのかを判定する。被測定者により測定開始ボタン３０２が押下されたと判定された場合には、ステップＳ４０４に進み、測定開始処理を実行する（測定開始処理の詳細は、後述）。
【００３４】
また、被測定者により呼吸開始ボタン３０３が押下されたと判定された場合には、ステップＳ４０５に進む。
【００３５】
ステップＳ４０５では、呼吸開始処理を実行する（呼吸開始処理の詳細は後述する）。
【００３６】
また、被測定者により履歴表示／終了ボタン３０４が押下されたと判定された場合には、ステップＳ４０６に進み、履歴表示を行う（詳細は後述する）。
【００３７】
ステップＳ４０７では、履歴表示／終了ボタン３０４が再度押下されたか否かを判定する。ステップＳ４０７において履歴表示／終了ボタン３０４が再度押下されたと判定された場合には、ステップＳ４０８に進み、履歴表示を終了する。
【００３８】
ステップＳ４０９では、拍動ゆらぎ測定装置の電源をＯＦＦする操作が行われたか否かを判定し、電源をＯＦＦする操作が行われていないと判定された場合には、ステップＳ４０３に戻る。一方、電源をＯＦＦする操作が行われたと判定された場合には、処理を終了する。
【００３９】
以上のフローチャートのもと、被測定者は、はじめに測定開始ボタン３０２を押下し、現状の拍動のゆらぎ度を把握した後、呼吸開始ボタン３０３を押下し、最適な呼吸法に基づく呼吸リズムのもとで呼吸を行いながら、拍動のゆらぎ度を確認する。これにより、被測定者は、最適な呼吸法に基づく呼吸リズムのもとで行う呼吸により、拍動のゆらぎが良好な状態に改善されたことを、確認することができる。
【００４０】
５．測定開始処理（ステップＳ４０４）の詳細
次に測定開始処理（ステップＳ４０４）の詳細について説明する。図５Ａは測定処理の詳細を示す図である。
【００４１】
ステップＳ５０１Ａでは、表示画面を初期化する。具体的には、表示画面上に前回の処理結果が残っていた場合には、それを消去し、初期画面（例えば、図３に示す表示画面）にする。
【００４２】
ステップＳ５０２Ａでは、所定時間を計測するためのタイマーをリセットした後、カウントを開始する。
【００４３】
ステップＳ５０３Ａでは、アンプ２０７より出力される拍動測定データの受信を開始する。ステップＳ５０４Ａでは、受信した拍動測定データのＲ波を検出し、データ表示部３０１上の心拍検出マーク（後述）を、当該Ｒ波の検出に同期して点滅させる。また、検出されたＲ波の拍動間隔に基づいて、単位時間あたり（例えば、１分間あたり）の心拍数をデータ表示部３０１上に表示する。
【００４４】
ステップＳ５０５Ａでは、検出されたＲ波の拍動間隔に基づいて、ローレンツプロットデータを算出し、データ表示部３０１上に、ローレンツプロットを行う。
【００４５】
図６Ａは、ステップＳ５０３Ａにおいて拍動測定データの受信が開始された後の表示／操作部２０５の表示画面を示す図である。
【００４６】
図６Ａに示すように、測定開始処理（ステップＳ４０４）では、被測定者は、最適な呼吸法に基づく呼吸を行わないため、呼吸リズム表示部３１０には、何も表示されない。
【００４７】
一方、データ表示部３０１には、ステップＳ５０３Ａ〜５０５Ａまでの処理結果が表示される。図６Ａにおいて、６０１は心拍検出マークであり、拍動検出処理部２２１において受信された拍動測定データのＲ波に合わせて点滅する。６０２は心拍数表示欄（１分間あたりの心拍数を表示する欄）である。６０３は、データ表示部３０１が現在拡大表示されているのか、標準の大きさで表示されているのか、縮小表示されているのかを表示する欄である。６０４は現在の日時を表示する欄である。６０５はプロットされたローレンツプロットデータである。６０６はローレンツプロットデータに基づいて算出されるゆらぎ度を表示するゆらぎ度表示欄である。
【００４８】
ステップＳ５０６Ａでは、拍動測定データの受信が開始されてから所定時間経過したか否かを判定する。所定時間経過していなければ、ステップＳ５０２Ａに戻る。一方、所定時間が経過していれば、ステップＳ５０７Ａに進む。なお、所定時間経過するまでの経過を、データ表示部３０１の任意の位置に表示（セグメント表示などで、カウントダウン表示またはカウントアップ表示）したり、ペット、子供、風景、キャラクタなどを任意に選択して順次画像等を完成させるような画面表示をしてもよい。また、ここでは所定時間経過するまでローレンツプロットを順に表示していく構成としているが、所定時間経過後に、全てのローレンツプロットを同時に表示する構成としても良い。
【００４９】
ステップＳ５０７Ａでは、今回の測定開始処理において算出されたローレンツプロットデータに基づいて、ゆらぎ度を算出し、表示する。好ましくは、更にステップＳ５０７Ａでは、ローレンツプロットデータの分布領域を示す線を表示する。
【００５０】
図７Ａは、ローレンツプロットデータの分布領域を示す線７０１が表示され、ゆらぎ度表示欄６０６にゆらぎ度７０２が表示された様子を示す図である。
【００５１】
ステップＳ５０８Ａでは、タイマーカウントを終了するとともに、拍動測定データの受信を終了する。
【００５２】
ステップＳ５０９Ａでは、ステップＳ５０７Ａで算出されたゆらぎ度をデータ記録部２０８に記録する。
【００５３】
６．呼吸開始処理（ステップＳ４０５）の詳細
次に呼吸開始処理（ステップＳ４０５）の詳細について説明する。図５Ｂは呼吸開始処理の詳細を示す図である。
【００５４】
ステップＳ５０１Ｂでは、表示画面を初期化する。具体的には、表示画面上に前回の処理結果が残っていた場合には、それを消去し、初期画面（例えば、図３に示す表示画面）にする。
【００５５】
ステップＳ５０２Ｂでは、予め定められた最適な呼吸法に基づく呼吸リズムを呼吸リズム記憶部２２４より読み出し、呼吸リズム表示部３１０に、バーグラフの表示を開始する。なお、呼吸リズム表示部３１０に表示されるバーグラフは、呼吸リズムのうち、空気を吸う時間の経過に伴って、バーグラフが紙面右方向に伸びていき、空気を吐く時間の経過に伴って、バーグラフが紙面左側に縮んでいくものとする。
【００５６】
ステップＳ５０３Ｂでは、所定時間を計測するためのタイマーをリセットした後、カウントを開始する。
【００５７】
ステップＳ５０４Ｂでは、アンプ２０７より出力される拍動測定データの受信を開始する。ステップＳ５０５Ｂでは、受信した拍動測定データのＲ波を検出し、データ表示部３０１上の心拍検出マーク（後述）を、当該Ｒ波の検出に同期して点滅させる。また、検出されたＲ波の拍動間隔に基づいて、単位時間あたり（例えば、１分間あたり）の心拍数をデータ表示部３０１上に表示する。
【００５８】
ステップＳ５０６Ｂでは、検出されたＲ波の拍動間隔に基づいて、ローレンツプロットデータを算出し、データ表示部３０１上に、ローレンツプロットを行う。
【００５９】
図６Ｂは、ステップＳ５０４Ｂにおいて拍動測定データの受信が開始された後の表示／操作部２０５の表示内容を示す図である。
【００６０】
図６Ｂに示すように、呼吸開始処理（ステップＳ４０５）では、呼吸リズム表示部３１０には、バーグラフ６０７が表示される。
【００６１】
また、データ表示部３０１には、ステップＳ５０４Ｂ〜５０６Ｂまでの処理結果が表示される。なお、図６Ｂのデータ表示部３０１に表示される表示内容は、図６Ａのデータ表示部３０１に表示される表示内容と同じであるため、ここでは説明は省略する。
【００６２】
ステップＳ５０７Ｂでは、拍動測定データの受信が開始されてから所定時間経過したか否かを判定する。所定時間経過していなければ、ステップＳ５０３Ｂに戻る。一方、所定時間が経過していれば、ステップＳ５０８Ｂに進む。なお、所定時間経過するまでの経過を、データ表示部３０１の任意の位置に表示（セグメント表示などで、カウントダウン表示またはカウントアップ表示）したり、ペット、子供、風景、キャラクタなどを任意に選択して順次画像等を完成させるような画面表示をしてもよい。また、ここでは所定時間経過するまでローレンツプロットを順に表示していく構成としているが、所定時間経過後に、全てのローレンツプロットを同時に表示する構成としても良い。
【００６３】
ステップＳ５０８Ｂでは、今回の呼吸開始処理において算出されたローレンツプロットデータに基づいて、ゆらぎ度を算出し、表示する。好ましくは、更にステップＳ５０８Ｂでは、ローレンツプロットデータの分布領域を示す線を表示する。
【００６４】
図７Ｂは、ローレンツプロットデータの分布領域を示す線７０１’が表示され、ゆらぎ度表示欄６０６にゆらぎ度７０２’が表示された様子を示す図である。
【００６５】
ステップＳ５０９Ｂでは、呼吸リズムに基づくバーグラフの表示を停止させるとともに、タイマーカウントを終了し、拍動測定データの受信を終了する。
【００６６】
ステップＳ５１０Ｂでは、ステップＳ５０８Ｂで算出されたゆらぎ度をデータ記録部２０８に記録する。
【００６７】
７．履歴表示処理（ステップＳ４０６）
図８は、履歴表示／終了ボタン３０４が押下され、データ表示部３０１に履歴表示画面が表示された様子を示す図である。
【００６８】
図８に示すように、履歴表示画面は、表示項目として、番号（８０１）測定が行われた日時（８０２）と、算出されたゆらぎ度（８０３）と、ローレンツプロットデータ（８０４）とを備える。これにより、被測定者は、過去の測定履歴を参照することができる。
【００６９】
以上の説明から明らかなように、本実施形態にかかる拍動ゆらぎ測定装置では、拍動のゆらぎを被測定者に表示するため、被測定者は自律神経が緊張状態にあるのか否かを把握することができる。
【００７０】
また、自律神経を緩和させる最適な呼吸法に基づく呼吸リズムを表示するため、被測定者は当該呼吸リズムに基づいて呼吸を行うことができる。
【００７１】
更に、呼吸中の拍動のゆらぎをリアルタイムで被測定者に表示するため、被測定者は、呼吸により拍動のゆらぎが良好な状態に改善したことを確認することが可能となる。
【００７２】
つまり、本実施形態によれば、被測定者の自律神経の緊張を緩和させ、交感神経と副交感神経のバランスがとれた状態に被測定者を導くことが可能となる。
【００７３】
［第２の実施形態］
上記第１の実施形態では、呼吸開始ボタン３０３が押下された際に、予め設定された最適な呼吸法に基づく呼吸リズムが呼吸リズム記憶部２２４より読み込まれる構成としたが、本発明は特にこれに限られない。
【００７４】
例えば、予め複数の呼吸リズムを格納しておき、呼吸開始ボタン３０３が押下された際に、被測定者が選択できるように構成してもよい。
【００７５】
図９は、呼吸開始ボタン３０３が押下された際に、データ表示部３０１に呼吸リズム選択画面が表示された様子を示す図である。図９に示すように、呼吸リズム選択画面は、表示項目として、１分間あたりの呼吸数（回数）とそのリズムとを備える。なお、ここでいうリズムとは、１分間あたりの呼吸数を実現するにあたり、空気を吸う時間と吐く時間の割合をいう。図９の例では、例えば１分間あたりの呼吸数が６回の場合でも、吸う時間と吐く時間の割合によって、３種類のリズムが用意されている。具体的には、１分間あたりの呼吸数が６回の場合、１呼吸あたり１０秒要することとなるが、吸う時間と吐く時間とを均等に配分した場合には、吸う時間＝５ｓｅｃ、吐く時間＝５ｓｅｃとなる（呼吸リズム選択画面の番号＝１０参照）。一方、吐く時間を吸う時間の３倍とすると、吸う時間＝２．５ｓｅｃ、吐く時間＝７．５ｓｅｃとなる（呼吸リズム選択画面の番号＝１１参照）。また、吸う時間を吐く時間の３倍とすると、吸う時間＝７．５ｓｅｃ、吐く時間＝２．５ｓｅｃとなる（呼吸リズム選択画面の番号＝１２参照）。
【００７６】
なお、図９に示す呼吸リズムはあくまで一例であり、これ以外の呼吸リズムが含まれていても良いし、図９に示す呼吸リズムが含まれていなくてもよい。
【００７７】
被測定者は、十字キー３０７を用いてカーソルを移動させ、所望の番号を指定し決定することで呼吸リズムを選択することができる。
【００７８】
なお、上記第１の実施形態では、測定履歴として、測定が行われた日時と、算出されたゆらぎ度と、ローレンツプロットデータとを記録することとしたが、本実施形態のように呼吸リズムを選択できるように構成した場合にあっては、選択された呼吸リズムを示す番号をあわせて記録するようにしても良い。
【００７９】
［第３の実施形態］
上記第１の実施形態では、測定履歴を表示するにあたり、過去の測定により得られたゆらぎ度等を、時系列でテキスト表示する構成としたが、本発明はこれに限られない。例えば、過去の測定により得られたゆらぎ度等を、棒グラフにより表示するようにしてもよい。
【００８０】
図１０の（ａ）は、データ記録部２０８に記録されているゆらぎ度等を、時系列に棒グラフ表示した様子を示す図である。図１０の（ａ）に示すように、棒グラフ表示することにより、被測定者は過去のゆらぎ度を一目で認識することができるようになる。また、各ゆらぎ度の棒グラフに、選択された呼吸リズムもあわせて表示するようにしてもよい。
【００８１】
また、過去の測定により得られたゆらぎ度等の中から、特定の呼吸リズムを選択した際のゆらぎ度等を抽出して表示するようにしてもよい。
【００８２】
図１０の（ｂ）は、データ記録部２０８に記録されているゆらぎ度等の中から、特定の呼吸リズムが選択された際の測定により得られたゆらぎ度のみを抽出し、時系列に棒グラフで表示した様子を示す図である。図１０の（ｂ）に示すように、特定のゆらぎ度のみを表示することで、被測定者は、呼吸リズムごとにわけて、ゆらぎ度の改善効果を認識することが可能となる。
【００８３】
また、過去の測定により得られたゆらぎ度等を、呼吸リズムごとに分類した後、それぞれの呼吸リズムに属するゆらぎ度の平均値を算出したうえで、表示するようにしても良い。
【００８４】
図１０の（ｃ）は、データ記録部２０８に記録されているゆらぎ度等を、呼吸リズムごとに分類した後、それぞれの呼吸リズムに属するゆらぎ度の平均値を算出し、呼吸リズムごとに、該算出されたゆらぎ度の平均値を棒グラフで表示した様子を示す図である。図１０の（ｃ）に示すように、呼吸リズムごとにわけて表示することで、被測定者は、呼吸リズムごとのゆらぎ度の改善効果の違いを一目で認識することが可能となる。
【００８５】
また、図１０の（ｃ）の表示に基づいて、自動的に最適な呼吸リズムを選択する構成としてもよい。
【００８６】
［第４の実施形態］
上記第１の実施形態では、測定開始処理により表示されたローレンツプロットをリセットしてから、呼吸開始処理によるローレンツプロットを表示する構成としたが、本発明はこれに限られない。
【００８７】
例えば、測定開始処理によるローレンツプロットと、呼吸開始処理によるローレンツプロットとを、重ねて表示するようにしても良い。図１１は、測定開始処理によるローレンツプロットと、呼吸開始処理によるローレンツプロットとを重ねて表示した様子を示す図である。これにより、最適な呼吸法による呼吸開始前と呼吸中との拍動のゆらぎの差異が明確となり、最適な呼吸法に基づいて呼吸を行うことによる拍動のゆらぎ度の改善効果を被測定者がより認識しやすくなる。
【００８８】
このとき、データ表示部３０１に表示されるローレンツプロットは、測定開始処理と呼吸開始処理とで、記号をわけて表示するようにしてもよいし、色をわけて表示するようにしてもよい。また、記号および色の両方を変えて表示するようにしても良い。
【００８９】
更に、測定開始処理により算出されたゆらぎ度と呼吸開始処理により算出されたゆらぎ度とを対比して表示するようにしてもよい。図１１の１１０１は測定開始処理により算出されたゆらぎ度と呼吸開始処理により算出されたゆらぎ度とを対比して表示した様子を示している。
【００９０】
［第５の実施形態］
上記第１の実施形態では、測定開始処理により得られたゆらぎ度と、呼吸開始処理により得られたゆらぎ度とを、それぞれ独立してすべて記録する構成としたが、本発明はこれに限られない。
【００９１】
例えば、呼吸開始処理により得られたゆらぎ度のみを記録し、その直前の測定開始処理により得られたゆらぎ度については、呼吸開始処理により得られたゆらぎ度との差異を算出し、これを呼吸開始処理により得られたゆらぎ度と対応付けて記録するようにしてもよい。
【図面の簡単な説明】
【００９２】
【図１】本発明の第１の実施形態にかかる拍動ゆらぎ測定装置１００の外観構成を示す図である。
【図２】本発明の第１の実施形態にかかる拍動ゆらぎ測定装置の機能構成を示す図である。
【図３】表示／操作部２０５の画面例を示す図である。
【図４】本発明の第１の実施形態にかかる拍動ゆらぎ測定装置における全体処理の流れを示すフローチャートである。
【図５Ａ】測定開始処理（ステップＳ４０４）の詳細を示す図である。
【図５Ｂ】呼吸開始処理（ステップＳ４０５）の詳細を示す図である。
【図６Ａ】拍動測定データの受信が開始された後の表示／操作部２０５の表示画面を示す図である。
【図６Ｂ】拍動測定データの受信が開始された後の表示／操作部２０５の表示画面を示す図である。
【図７Ａ】ローレンツプロットデータの分布領域を示す線７０１が表示され、ゆらぎ度表示欄６０６にゆらぎ度７０２が表示された様子を示す図である。
【図７Ｂ】ローレンツプロットデータの分布領域を示す線７０１’が表示され、ゆらぎ度表示ラン６０６にゆらぎ度７０２’が表示された様子を示す図である。
【図８】履歴表示／終了ボタン３０４が押下され、データ表示部３０１に履歴表示画面が表示された様子を示す図である。
【図９】呼吸開始ボタン３０３が押下された際に、データ表示部３０１に呼吸リズム選択画面が表示された様子を示す図である。
【図１０】データ記録部２０８に記録されている測定履歴を、棒グラフで表示した様子を示す図である。
【図１１】測定開始処理によるローレンツプロットと、呼吸開始処理によるローレンツプロットとを重ねて表示した様子を示す図である。
【図１２】心電波形に基づくローレンツプロット方法を説明するための図である。
【図１３】心電波形に基づくローレンツプロット方法を説明するための図である。
【図１４】ローレンツプロットの一例を示す図である。
【図１】
2008279127.tif 000003
【図２】
2008279127.tif 000004
【図３】
2008279127.tif 000005
【図４】
2008279127.tif 000006
【図５Ａ】
2008279127.tif 000007
【図５Ｂ】
2008279127.tif 000008
【図６Ａ】
2008279127.tif 000009
【図６Ｂ】
2008279127.tif 000010
【図７Ａ】
2008279127.tif 000011
【図７Ｂ】
2008279127.tif 000012
【図８】
2008279127.tif 000013
【図９】
2008279127.tif 000014
【図１０】
2008279127.tif 000015
【図１１】
2008279127.tif 000016
【図１２】
2008279127.tif 000017
【図１３】
2008279127.tif 000018
【図１４】
2008279127.tif 000019